(57)【要約】【課題】  作業の効率化と共通部品化とによりコスト低減を図るとともに、小型化或いはアンテナ特性の向上を図る。【解決手段】  筐体２内に回路部を形成した回路基板５を収納し、端子部１５との間隔を異にして筐体２に取り付けた第１アンテナ素子６と第２アンテナ素子７とを共用化して同一長の第１アンテナケーブル８と第２アンテナケーブル９とにより接続する。第１アンテナケーブル８の冗長部位８ａが筐体２に形成した引回しガイド部１１ａ、１２に引き回されて保持される。【選択図】  図３ 
2005184713.tif 000002
【特許請求の範囲】
【請求項１】
底面部の外周部に外周壁部を一体に立ち上がり形成してなるトレイ状のベース部材と、このベース部材に組み合わされるカバー部材とからなる筐体と、
前記筐体内に収納される回路基板と、
前記筐体に、前記回路基板の回路部の端子部に対して第１の間隔を以って取り付けられた第１アンテナ素子及び前記回路部の端子部に対して前記第１の間隔よりも小さな第２の間隔を以って取り付けられた第２アンテナ素子と、
前記回路部の端子部と前記第１アンテナ素子とを接続する第１アンテナケーブル及び前記回路部の端子部と前記第２アンテナ素子とを接続する第２アンテナケーブルとを備え、
前記第２アンテナケーブルが、前記第１アンテナケーブルと同長のケーブルが用いられて、冗長部位を前記筐体に形成した引回しガイド部に引き回されて保持されることを特徴とする無線中継装置。
【請求項２】
前記第１アンテナ素子と前記第２アンテナ素子とが、前記筐体の両側面部にそれぞれ回動自在に支持されて配置されることを特徴とする請求項１に記載の無線中継装置。
【請求項３】
前記第１アンテナケーブルと前記第２アンテナケーブルとが、前記回路基板の外周縁部と前記筐体の外周壁部との間に構成された間隙に沿って前記筐体内を引き回されることを特徴とする請求項１又は請求項２に記載の無線中継装置。
【請求項４】
前記第１アンテナケーブルと前記第２アンテナケーブルとが、前記筐体の底面部と前記回路基板との間に構成された空間部内を引き回されることを特徴とする請求項１乃至請求項３のいずれか１項に記載の無線中継装置。
【請求項５】
前記回路基板の前記筐体の底面部と対向する主面に、前記第１アンテナケーブル及び前記第２アンテナケーブルの引き回し領域と対向する領域にグランドパターンが形成されることを特徴とする請求項４に記載の無線中継装置。
【請求項６】
前記筐体の底面部に、外周壁部と対向して凸部からなる複数の引回しガイド部を一体に形成し、これら外周壁部と引回しガイド部とによって前記第１アンテナケーブル及び前記第２アンテナケーブルとを保持して引き回すことを特徴とする請求項１乃至請求項５のいずれか１項に記載の無線中継装置。
【請求項７】
前記引回しガイド部の一部が、前記回路基板の取付部を兼用することを特徴とする請求項６に記載の無線中継装置。
【請求項８】
前記回路基板の外周縁部に沿った領域の一部に非回路部形成領域を構成し、この非回路部形成領域に対向して前記第１アンテナケーブルと前記第２アンテナケーブルとの引き回しが行われることを特徴とする請求項１乃至請求項７のいずれか１項に記載の無線中継装置。
【発明の詳細な説明】
【技術分野】
【０００１】
本発明は、例えば無線ＬＡＮ（Local Area Network）システムに用いられる無線ルータ（router）等の無線中継装置に関する。
【背景技術】
【０００２】
無線ＬＡＮシステムに用いられる無線ＬＡＮ装置は、無線機能を有する多数のパーソナルコンピュータやサーバ或いはプリンタ等の各種周辺機器間を接続するＬＡＮシステム或いはデータ通信網と接続されたホスト機器と端末機器間とを接続するＬＡＮシステム等を無線によって相互接続するとともに、最短経路を選択してデータ信号等の相互授受が行われるようにする。無線ＬＡＮ装置には、一般に無線送信される信号等を最適な状態で受信するために、相互に補完してダイバーシチ（diversity）を構成する一対のアンテナ素子が備えられている。
【０００３】
また、無線ＬＡＮシステムにおいては、２．４ＧＨｚ帯域でデータ信号の授受を行うＩＥＥＥ８０２．１１ｂ方式や５．２ＧＨｚ帯域でデータ信号の高速授受を行うＩＥＥＥ８０２．１１ａ方式とが採用されている。また、２．４ＧＨｚ帯域を用いて最大伝送速度を約５倍に高めたＩＥＥＥ８０２．１１ｇ方式も提供されている。無線ＬＡＮ装置が、２．４ＧＨｚ帯域と５．２ＧＨｚ帯域とで共用される場合にそれぞれの周波数帯域用のアンテナ素子が備えられる。
【０００４】
無線ＬＡＮ装置において、一般に筐体が、合成樹脂材によって底面部の外周部に外周壁部を一体に立ち上がり形成して状に成形したベース部材と、このベース部材に組み合わされるカバー部材とから構成される。上述した一対のアンテナ素子が、良好なダイバーシチを奏するようにするとともにデザイン処理上或いは構造上、一般に筐体の相対する両側面部に位置してベース部材に一体に形成した取付部にそれぞれに回動自在に支持される。
【０００５】
ベース部材に形成した複数個の取付部上に、高周波信号受信回路部やその端子部が設けられた回路基板が取り付けられて筐体に収納される。回路基板に、高周波信号受信回路部とともに適宜の回路パターンや集積回路素子、半導体素子或いはメモリ素子や電子部品等が搭載されて制御回路部或いは信号処理回路部等が設けられ、高周波信号受信回路部の端子部と各アンテナ素子とを同軸ケーブルからなるアンテナケーブルによって接続してなる。
【特許文献１】特開２００１−２５７４８７号公報
【発明の開示】
【発明が解決しようとする課題】
【０００６】
ところで、無線ＬＡＮ装置においては、回路基板が、制御回路部や信号処理回路部を構成する回路パターンや各部品等を最適な位置にかつ実装密度を向上するようにして設けるために設計の自由度が必要とされる。このために高周波信号受信回路部の端子部が中心から偏倚した位置に設けられ、一対のアンテナ素子との間隔が異にされていた。
【０００７】
したがって、長さを異にする一対のアンテナケーブルが用意され、それぞれ所定のアンテナ素子と高周波信号受信回路部の端子部とに接続する作業が行われていた。このように２種類のアンテナケーブルを用いることから、部材費が割高となるとともにその部材管理や接続作業も面倒であった。例えば短いアンテナケーブルを誤って他のアンテナ素子側に取り付けてしまった場合に長さ不足となり、取り外し作業と再接続の作業を行わなければならなかった。
【０００８】
また、アンテナケーブルが回路基板の主面上を這わされることによって、ノイズが重畳してアンテナ特性が低下したり、発熱部品からの熱によって被覆が損傷しショートを生じさせる可能性もあった。
【０００９】
したがって、本発明は、アンテナケーブルの引回し作業の効率化と共通部品化とによりコスト低減を図るとともに、アンテナ特性の向上を図る無線中継装置を提供することを目的とする。
【課題を解決するための手段】
【００１０】
上述した目的を達成する本発明にかかる無線中継装置は、筐体と、筐体内に収納される回路基板と、回路基板の回路部の端子部に対して第１の間隔及び第２の間隔に設定されてそれぞれ筐体に取り付けられた第１アンテナ素子及び第２アンテナ素子と、これら第１アンテナ素子及び第２アンテナ素子と回路部の端子部とをそれぞれ接続する第１アンテナケーブル及び第２アンテナケーブルとを備える。無線中継装置においては、第１アンテナ素子と第２アンテナ素子とが、第１の間隔が第２の間隔よりも大きくなるようにして回路部の端子部と接続されるとともに、第１アンテナケーブルと第２アンテナケーブルとが互いに同長とされてなる。無線中継装置においては、回路部の端子部と第２アンテナ素子との間で第２アンテナケーブルの冗長部位を筐体に形成した引回しガイド部に引き回して保持する。
【００１１】
本発明にかかる無線中継装置は、第１アンテナ素子と第２アンテナ素子とが、筐体の両側面部にそれぞれ配置されて取り付けられる。無線中継装置においては、これら第１アンテナ素子と第２アンテナ素子とが、例えば方向を異にして無線送信される高周波信号に対してダイバシチアンテナを構成して、良好なアンテナ特性が奏される。
【００１２】
本発明にかかる無線中継装置は、第１アンテナケーブルと第２アンテナケーブルとを、回路基板の外周縁部と筐体の外周壁部との間に構成された間隙に沿って筐体内を引き回してなる。無線中継装置によれば、回路基板の各回路部と第１アンテナケーブルや第２アンテナケーブルとの間隔が保持されて、電磁ノイズの影響によるアンテナ特性の低下が防止されるとともに発熱部品からの熱に対してケーブルの被覆が保護されるようにする。
【００１３】
本発明にかかる無線中継装置は、第１アンテナケーブルと第２アンテナケーブルとを、筐体の底面部と回路基板との間に構成された空間部内に引き回してなる。無線中継装置によれば、回路基板の第１主面に設けられる各回路部と第１アンテナケーブルや第２アンテナケーブルとの間隔が持されて、電磁ノイズの影響によるアンテナ特性の低下が防止されるとともに発熱部品からの熱に対してケーブルの被覆が保護されるようにする。
【００１４】
本発明にかかる無線中継装置は、回路基板の筐体の底面部と対向する主面の第１アンテナケーブル及び第２アンテナケーブルの引き回し領域と対向する領域にグランドパターンを形成してなる。無線中継装置によれば、グランドパターンによって第１主面に設けられる各回路部と第１アンテナケーブルや第２アンテナケーブルとの間隔が持されて、電磁ノイズの影響によるアンテナ特性の低下が防止される。
【００１５】
本発明にかかる無線中継装置は、筐体の底面部に、外周壁部と対向して凸部からなる複数の引回しガイド部を一体に形成し、これら外周壁部と引回しガイド部とによって第１アンテナケーブル及び第２アンテナケーブルとを保持して引き回してなる。無線中継装置によれば、比較的剛性の大きい同軸ケーブルを用いた第１アンテナケーブルや第２アンテナケーブルの引き回しが容易に行われて、筐体内においていわゆるケーブル暴れが生じないようにする。
【００１６】
本発明にかかる無線中継装置は、引回しガイド部の一部が、回路基板の取付部を兼用してなる。無線中継装置においては、各部の共用化により金型構造の簡易化と筐体の機械的強度の向上が図られるようになる。
【００１７】
本発明にかかる無線中継装置は、回路基板の外周縁部に沿った領域の一部に非回路部形成領域を構成し、この非回路部形成領域に対向して第１アンテナケーブルと第２アンテナケーブルとを引き回してなる。無線中継装置においては、電磁ノイズの影響によるアンテナ特性の低下が防止されるとともに発熱部品からの熱に対してケーブルの被覆が保護されるようにする。
【発明の効果】
【００１８】
以上のように構成された本発明にかかる無線中継装置によれば、基板設計の自由度を図るために高周波信号受信回路部の端子部を回路基板上の任意の位置に設けることによって端子部と第１アンテナケーブル及び第２アンテナケーブルとの間隔が異にされても、互いに同長とされた第１アンテナケーブルと第２アンテナケーブルとを用いることにより共通部品化が図られて部材費が低減されるとともに、組立工程が合理化されかつ誤装着の発生を防止する。
【００１９】
本発明にかかる無線中継装置によれば、第１アンテナケーブルと第２アンテナケーブルとが、回路基板に形成された回路パターンや搭載部品との間で相互の電波干渉の発生を低減されるようにして筐体内を引き回されることから、無線接続される機器との間で信号の授受が安定した状態でかつ高精度に行われるようになる。
【発明を実施するための最良の形態】
【００２０】
以下、本発明の実施の形態として示す無線ＬＡＮシステムに用いられる無線ＬＡＮ装置１について図面を参照して詳細に説明する。無線ＬＡＮ装置１は、図１に示すようにベース部材３と、合成樹脂或いは軽金属材によって形成されてベース部材３に組み合わされるカバー部材４とによって全体略薄箱状の筐体２を構成してなる。図２に示すように筐体２の内部に回路基板５が収納される。筐体２の第１側面部２ａに第１アンテナ部材６を回動自在に支持するとともに、第２側面部２ｂに第２アンテナ部材７を回動自在に支持してなる。
【００２１】
無線ＬＡＮ装置１は、第１アンテナ部材６と第２アンテナ部材７とが、第１アンテナケーブル８と第２アンテナケーブル９によって回路基板５と接続されてなる。これら第１アンテナ部材６と第２アンテナ部材７とが互いに共同して異なる方向の電波を最良の状態で送受信するダイバーシチを構成して、２．４ＧＨｚ帯域の電波或いは５．２ＧＨｚ帯域の電波を送受信して相互に無線接続されたＬＡＮ間の構成機器間でデータ信号等の相互授受を行う。第１アンテナ部材６と第２アンテナ部材７とは、例えば無線ＬＡＮ装置１の適用周波数帯域の１／４波長の長さを有する互いに同一アンテナ長を有している。
【００２２】
なお、無線ＬＡＮ装置１は、２．４ＧＨｚ帯域と５．２ＧＨｚ帯域との異なる周波数帯域において互換使用を可能とする仕様に構成される場合には、第１アンテナ部材６と第２アンテナ部材７とがそれぞれの帯域用のアンテナ部材として構成される。第１アンテナ部材６と第２アンテナ部材７は、この場合にそれぞれのアンテナ長を異にして形成される。
【００２３】
無線ＬＡＮ装置１には、詳細を省略するが、筐体２の上面部例えば交流電源との接続状態や、接続機器間の接続状態等を表示する表示部１０が設けられている。
【００２４】
ベース部材３は、合成樹脂材によって一体に成形され、図３に示すように略矩形の底面部３ａと、この底面部３ａの外周縁に沿って全周に亘って一体に立ち上がり形成された外周壁部３ｂとからなる全体略矩形トレイ状を呈している。ベース部材３には、底面部３ａに多数の放熱スリットや詳細を後述する複数の基板取付部１１或いは複数のケーブルガイド部１２が一体に形成されている。
【００２５】
ベース部材３には、外周壁部３ｂの両側面３ｂ１、３ｂ２に、アンテナ取付孔３ｃ、３ｄが形成されている。アンテナ取付孔３ｃ、３ｄは、詳細には背面３ｂ３側に位置して形成された半円形の取付孔からなり、ベース部材３に対してカバー部材４が組み合わされた状態においてこのカバー部材４側の外周壁部に形成した半円形の取付孔と共同して円形の貫通孔を構成してなる。
【００２６】
各基板取付部１１は、ベース部材３の底面部３ａに、その四隅の近傍位置や適宜の位置においてそれぞれ一体に立設された円筒状凸部からなる。第１側面部２ａ側でかつ背面側に位置して形成された基板取付部１１ａは、外周壁部３ｂの一方側面３ｂ１に対して第１アンテナケーブル８の外径とほぼ同等の間隔を以って形成され、詳細を後述するようにこの第１アンテナケーブル８のケーブルガイド構造を構成する。
【００２７】
各ケーブルガイド部１２は、底面部３ａに、外周壁部３ｂの一方側面３ｂ１に沿って一体に立設された複数の円弧状凸部からなる第１ケーブルガイド部１２ａと、外周壁部３ｂの背面３ｂ３に沿って一体に立設された複数の円弧状凸部からなる第２ケーブルガイド部１２ｂとからなる。各ケーブルガイド部１２は、一方側面３ｂ１或いは背面３ｂ３に対して第１アンテナケーブル８や第２アンテナケーブル９の外径とほぼ同等の間隔を以って形成されている。
【００２８】
回路基板５は、全体矩形を呈しており、第１主面５ａ上に詳細を省略する回路パターンやランド等が適宜形成されている。回路基板５には、第１主面５ａ上に、詳細を省略するが高周波信号受信回路部や制御回路部或いは信号処理回路部や電源回路部等を構成する集積回路素子、半導体素子或いはメモリ素子や電子部品等が搭載されている。回路基板５には、四隅の近傍位置や適宜の位置に貫通孔からなる取付孔が形成されており、これら取付孔を相対する基板取付部１１に対向させてベース部材３に組み合わされる。回路基板５は、各取付孔にねじ込まれる止めねじにより、ベース部材３上に固定される。
回路基板５は、上述したように基板取付部１１上に固定された状態において、その第２主面５ｂとベース部材３の底面部３ａとの間において第１アンテナケーブル８や第２アンテナケーブル９の外径よりもやや大きな対向間隔を有する空間部１３を構成する。また、回路基板５は、ベース部材３上に固定された状態において、少なくとも外周壁部３ｂの一方側面３ｂ１と背面３ｂ３とに対向する外周側縁５ｃ、５ｄがこれら側面に対して第１アンテナケーブル８や第２アンテナケーブル９の外径とほぼ同等の間隔を有して対向される。回路基板５は、ベース部材３の外周壁部３ｂと対向する外周縁部の近傍領域が、非回路部形成領域として構成されてなる。
【００２９】
回路基板５には、詳細を省略するが第２主面５ｂに図４に示すグランドパターン１４が形成されている。グランドパターン１４は、ビアを介して第１主面５ａ側の適宜の回路部と接続され、少なくとも外周壁部３ｂの一方側面３ｂ１と背面３ｂ３とに対向する領域に沿って形成されている。図２において鎖線で示す第１主面５ａの領域に対向して第２主面５ｂに形成されている。なお、上述ではグランドパターン１４を形成したが、グランドパターン１４の位置をパターン及び部品を設けない領域としても良い。要は、第１アンテナケーブル８に対向する回路基板５上にアンテナ特性やケーブル引き回しの際に不具合を生じさせるような部品やパターンが設けられていなければ良い。
【００３０】
回路基板５には、詳細を省略する高周波信号受信回路部と接続されて端子部を構成するコネクタ１５が搭載されている。コネクタ１５は、詳細を省略するが２個の受け口を有しており、これら受け口に対して第１アンテナ部材６と第２アンテナ部材７とにそれぞれ接続された第１アンテナケーブル８と第２アンテナケーブル９の一端部に設けたコネクタがそれぞれ嵌合されて接続される。
【００３１】
コネクタ１５は、回路基板５が上述した各回路部を構成する実装部品等を最適な位置でかつ実装密度を向上して搭載することから、回路基板５の第１主面５ａ上に長さ方向の中心位置に対して偏倚した位置に搭載されている。具体的には、ベース部材３の外周壁部３ｂの背面３ｂ３と対向してやや一方側面３ｂ１側に寄った位置に搭載されている。
【００３２】
第１アンテナ部材６と第２アンテナ部材７とは、上述したように同一アンテナ長を有しており、同一部材を左右対象にして筐体２にそれぞれ回動自在に組み合わせてなる。詳細を省略するがそれぞれ筒状体に形成したホルダ部材６ａ、７ａの内部にアンテナ素子やアンテナ基板等が組み込まれている。図３に示すように、筐体２の幅寸法よりもやや短軸とされたホルダ部材６ａ、７ａの基端を略直角に折曲してそれぞれ回動支点部６ｂ、７ｂが一体に形成されてなり、それぞれの回動支点部６ｂ、７ｂが、細径部６ｃ、７ｃを介して太径部６ｄ、７ｄを一体に連設して構成されている。
【００３３】
第１アンテナ部材６と第２アンテナ部材７とは、図５に示すように各回動支点部６ｂ、７ｂがベース部材３側のアンテナ取付孔３ｃ、３ｄに対して、細径部６ｃ、７ｃをその外径が孔径とほぼ同等とされるとともに太径部６ｄ、７ｄを孔径よりも大径にして形成されている。各回動支点部６ｂ、７ｂが、細径部６ｃ、７ｃをアンテナ取付孔３ｃ、３ｄに嵌合して太径部６ｄ、７ｄによって抜け止めすることにより、上述したように筐体２の第１側面部２ａと第２側面部２ｂとにそれぞれ回動自在に組み付けられる。
【００３４】
第１アンテナ部材６と第２アンテナ部材７とは、ベース部材３との間に図示を省略するクリック機構が設けられることによって、筐体２に対する回動位置が安定した状態で保持されるように構成される。クリック機構は、例えば第１アンテナ部材６と第２アンテナ部材７側の太径部６ｄ、７ｄの外周部或いは側面と、これらに相対するベース部材３側の底面部３ａ或いは外周壁部３ｂの内面とに形成したクリック凸部とクリック凹部及び第１アンテナ部材６と第２アンテナ部材７にクリック凸部とクリック凹部との嵌合習性を付与する弾性部材等によって構成する。
【００３５】
クリック機構は、第１アンテナ部材６或いは第２アンテナ部材７が筐体２に対して所定位置に回動操作された状態において、クリック凸部がクリック凹部に相対嵌合するとともにこの係合状態を弾性部材の弾性力によって保持する。第１アンテナ部材６或いは第２アンテナ部材７を、図１に示すように筐体２に対して直立した姿勢や、図２に示すように筐体２に対して水平とした姿勢に保持する。なお、無線ＬＡＮ装置１は、第１アンテナ部材６や第２アンテナ部材７を保持するクリック機構を設けたが、クリック機構が上述した構造に限定されるものでは無いことは勿論である。第１アンテナ部材６や第２アンテナ部材７は、例えば適宜のカム機構等を介して筐体２に対する回動姿勢を保持するようにしてもよい。
【００３６】
第１アンテナ部材６と第２アンテナ部材７には、各回動支点部６ｂ、７ｂの端部を介してホルダ部材６ａ、７ａから第１アンテナケーブル８と第２アンテナケーブル９とが引き出されており、それぞれ高周波信号の伝送線路と第１アンテナ部材６や第２アンテナ部材７への給電線路とが封装された同軸ケーブルが用いられる。第１アンテナケーブル８及び第２アンテナケーブル９には、それぞれ先端部にコネクタが設けられており、上述したように回路基板５側のコネクタ１５と結合される。
【００３７】
以上のように構成された無線ＬＡＮ装置１においては、上述したように回路基板５に対してコネクタ１５が、ベース部材３の一方側面３ｂ１側に寄って偏倚した位置に搭載されている。したがって、コネクタ１５と筐体２の第１側面部２ａ側に設けた第１アンテナ部材６との間隔に対して、コネクタ１５と筐体２の第２側面部２ｂ側に設けた第２アンテナ部材７との間隔が大きく設定される。
【００３８】
第１アンテナケーブル８と第２アンテナケーブル９とに、同一仕様の同軸ケーブルが用いられており、大きな間隔に設定される同軸コネクタ１５と第２アンテナ部材７とを接続する第２アンテナケーブル９用の同軸ケーブルを、第１アンテナケーブル８用の同軸ケーブルとしても互換使用する。したがって、第１アンテナケーブル８においてコネクタ１５と第１アンテナ部材６との間において冗長部位８ａが生じるが、この冗長部位８ａを後述するケーブルガイド構造によって保持する。
【００３９】
第１アンテナ部材６から引き出された第１アンテナケーブル８が、ベース部材３の底面部３ａを引き回されて上述したようにその先端部に設けたコネクタを回路基板５に搭載したコネクタ１５に結合される。第１アンテナ部材６から引き出された第１アンテナケーブル８を、外周壁部３ｂの一方側面３ｂ１に沿って基板取付部１１ａまで底面部３ａ上を這わせる。第１アンテナケーブル８を、基板取付部１１ａに掛け合わせて折り返し、一方側面３ｂ１と第１ケーブルガイド部１２ａとの間に挟み込んで保持した後に、コネクタを回路基板５のコネクタ１５と結合する。
【００４０】
上述したように回路基板５がその外周側縁５ｃを側面３ｂ１に対して第１アンテナケーブル８の外径とほぼ等しい間隔を以って対向させてベース部材３に固定してなる。したがって、ベース部材３に回路基板５を固定した状態で、側面３ｂ１と外周側縁５ｃとの間隙を介して第１アンテナケーブル８を引き回すことも可能である。
【００４１】
上述したように第１アンテナケーブル８が基板取付部１１ａで折り返すようにして引き回すことによって冗長部位８ａの処理が図られ、第１アンテナケーブル８も、基板取付部１１ａや第１ケーブルガイド部１２ａによって作業性の向上を図って筐体２内において引き回すことが可能とされる。また、第１アンテナケーブル８が筐体２内においていわゆる暴れた状態を呈して回路基板５の搭載部品等に当たり、これら搭載部品等をランドから浮き上がらせて接触不良を生じさせることを防止する。
【００４２】
第１アンテナケーブル８がベース部材３の側面３ｂ１に沿って引き回されてなる。回路基板５がその外周縁部の近傍領域を非回路部形成領域とされるとともに第１アンテナケーブル８の引き回し領域と対向する第２主面５ａにグランドパターン１４を形成してなる。ベース部材３の底面部３ａ上を引き回される第１アンテナケーブル８が、底面部３ａと回路基板５との間に構成された空間部１３にグランドパターン１４と対向して延在する。
【００４３】
したがって、第１アンテナケーブル８が回路基板５の各回路部に対して電磁的絶縁を保持された状態を呈して、各回路部から放射される電磁的ノイズの重畳が防止される。これによって第１アンテナ部材６により高周波信号の安定した送受信が行われてアンテナ特性の向上が図られるようになる。また、回路基板５に搭載した部品から比較的高い熱が連続して発生することもあるが、この熱によって第１アンテナケーブル８の被覆が損傷することを防止して信頼性の向上が図られる。
【００４４】
第２アンテナ部材７から引き出された第２アンテナケーブル９が、ベース部材３の底面部３ａを引き回されて上述したようにその先端部に設けたコネクタを回路基板５に搭載した同軸コネクタ１５に結合される。第２アンテナ部材７から引き出された第２アンテナケーブル９を、外周壁部３ｂの背面３ｂ３に沿って底面部３ａ上を這わせ、第２アンテナケーブル９を、背面３ｂ３と第２ケーブルガイド部１２ｂとの間に挟み込んで保持した後に、コネクタを回路基板５のコネクタ１５と結合する。
【００４５】
上述したように回路基板５がその外周側縁５ｄを背面３ｂ３に対して第２アンテナケーブル９の外径とほぼ等しい間隔を以って対向させてベース部材３に固定してなる。したがって、ベース部材３に回路基板５を固定した状態で、背面３ｂ３と外周側縁５ｄとの間隙を介して第２アンテナケーブル９を引き回すことも可能である。
【００４６】
第２アンテナケーブル９も、第２ケーブルガイド部１２ｂによって作業性の向上を図って筐体２内において引き回すことが可能である。第２アンテナケーブル９が筐体２内においていわゆる暴れた状態を呈して回路基板５の搭載部品等に当たり、これら搭載部品等をランドから浮き上がらせて接触不良を生じさせることを防止する。
【００４７】
上述したように第２アンテナケーブル９がベース部材３の背面３ｂ３に沿って引き回されてなる。したがって、第２アンテナケーブル９が回路基板５の各回路部に対して電磁的絶縁を保持された状態を呈して、各回路部から放射される電磁的ノイズの重畳が防止される。これによって第２アンテナ部材７により高周波信号の安定した送受信が行われてアンテナ特性の向上が図られるようになる。回路基板５に搭載した部品から比較的高い熱が連続して発生することもあるが、この熱によって第２アンテナケーブル９の被覆が損傷することを防止して信頼性の向上が図られる。
【００４８】
上述したようにコネクタ１５が回路基板５の中心位置から偏倚して第１アンテナ部材６と第２アンテナ部材７とに対して間隔を異にされても、第１アンテナケーブル８と第２アンテナケーブル９との共通部品化によって部材費の低減、組立工程の合理化或いは誤装着の発生防止が図られている。
【００４９】
上述した共通部品化によって第１アンテナケーブル８に冗長部位８ａが生じるが、この冗長部位８ａが筐体２内において回路基板５の搭載部品等に影響を与えずに引き回されているため、第１アンテナケーブル８や第２アンテナケーブル９が回路基板５の各回路部と電磁的に隔離され或いは大きな間隔を保持された構造とされることから、電磁的ノイズの影響が低減されてアンテナ特性の向上が図られる。
【００５０】
また、回路基板５に対して第１アンテナケーブル８や第２アンテナケーブル９が機械的にも間隔を保持して構成されていることから、例えば回路基板５の搭載部品からの熱によって第１アンテナケーブル８や第２アンテナケーブル９の被覆損傷が防止されて信頼性の向上が図られる。
【００５１】
さらに、第１アンテナケーブル７や第２アンテナケーブル８を上述したようにベース部材３の外周壁部３ｂの内面に沿って回路基板５まで導くとともに基板取付部１１ａやケーブルガイド部１２によって保持してなるから、筐体２の内部空間が有効に利用されるようになり、小型化が図られるようになる。
【００５２】
なお、上述した実施の形態においては、無線ＬＡＮシステムに用いられる無線ＬＡＮ装置１示したが、本発明はかかる無線ルータ１に限定されず、各種の無線中継装置に適用されることは勿論である。
【図面の簡単な説明】
【００５３】
【図１】本発明の実施の形態として示す無線ＬＡＮ装置の斜視図である。
【図２】カバー部材を取り外して示す無線ＬＡＮ装置の平面図である。
【図３】回路基板を取り外して示す無線ＬＡＮ装置の平面図である。
【図４】第１アンテナケーブルのガイド構造を説明する要部分解斜視図である。
【図５】アンテナ部材の取付部の構成を示す要部平面図である。
【符号の説明】
【００５４】
１          無線ＬＡＮ装置
２          筐体
３          ベース部材
４          カバー部材
５          回路基板
６          第１アンテナ部材
７          第２アンテナ部材
８          第１アンテナケーブル
９          第２アンテナケーブル
１１        基板取付部
１２        ケーブルガイド部
１４        グランドパターン
１５        コネクタ
【図１】
2005184713.tif 000003
【図２】
2005184713.tif 000004
【図３】
2005184713.tif 000005
【図４】
2005184713.tif 000006
【図５】
2005184713.tif 000007